(57)【要約】【課題】  組立ての自由度が高く、かつ、組立てが容易な組立式容器を提供する。【解決手段】  略方形の板体である主板の上面に嵌合部を設けた底板ピース２２１と、下面に嵌合部を設けた底板結合ピース２２５を有し、略方形の板体である主板の下部と上部とに嵌合部を設けた側板ピース２３１と、縦置き状態における該側板ピースの高さと対応する高さを有し、下部と上部とに嵌合部を設けた側板間補助ピース２４１と、下部に嵌合部を設けた上部結合ピース２５０と、を有し、底板ピース２２１の周囲に、側板ピース２３１および側板間補助ピース２４１を交互にこれらの嵌合部により嵌合して側板を立設し、側板ピース２３１と側板間補助ピース２４１との隣接部の上部において、上部結合ピース２５０をこれらの嵌合部により嵌合して、組み立てられた組み立て式容器２１０。【選択図】  図１
2013017477.tif 000002
【特許請求の範囲】
【請求項１】
略方形の板体である主板の横置き状態における上面に嵌合部を設けた底板ピースと、
略方形の板体である主板の縦置き状態における下部と上部とに嵌合部を設けた側板ピースと、
縦置き状態における該側板ピースの高さと対応する高さを有し、下部と上部とに嵌合部を設けた側板間補助ピースと、
下部に嵌合部を設けた上部結合ピースと、を有し、
各ピースが各々の嵌合部同士の凹凸による嵌合をもって着脱自在になされる組み立て式容器の組立てセット。
【請求項２】
前記底板ピースの主板よりも小さな板状部材の横置き状態における下面に嵌合部を設けた底板結合ピースを有する請求項１に記載の組み立て式容器の組立てセット。
【請求項３】
前記上部結合ピースが、
嵌合部が直線状に配置された直線結合ピースと、
嵌合部が直角に交差した線上に配置された角部結合ピースと、からなる請求項１または請求項２に記載の組み立て式容器の組立てセット。
【請求項４】
前記側板ピースが、該側板ピースの主板の両側部に、嵌合部を除いた高さ方向に亘って切り欠かれる切欠き部を有し、
前記側板間補助ピースが、嵌合部を除いた高さ方向に亘って略Ｗ字状の断面形状であることにより、それぞれが前記切欠き部と掛合し、直角をなして相対する第一谷部と第二谷部とを有する請求項１ないし請求項３に記載の組み立て式容器の組立てセット。
【請求項５】
略方形の板体である主板の横置き状態における上面に嵌合部を設けた底板ピースと、
略方形の板体である主板の縦置き状態における下部と上部とに嵌合部を設けた側板ピースと、
縦置き状態における該側板ピースの高さと対応する高さを有し、下部と上部とに嵌合部を設けた側板間補助ピースと、
下部に嵌合部を設けた上部結合ピースと、を有し、
前記底板ピースの周囲に、前記側板ピースおよび前記側板間補助ピースを交互にこれらの嵌合部により嵌合して側板を立設し、
前記側板ピースと前記側板間補助ピースとの隣接部の上部において、前記上部結合ピースをこれらの嵌合部により嵌合して、組み立てられた組み立て式容器。
【請求項６】
前記底板ピースの主板よりも小さな板状部材の横置き状態における下面に嵌合部を設けた底板結合ピースを有し、
複数枚の前記底板ピースを平面上に整列し、該底板ピースの各々の交差点において前記底板結合ピースをこれらの嵌合部により嵌合して一体的な底板となし、
該底板の周囲に、前記側板ピースおよび前記側板間補助ピースを交互にこれらの嵌合部により嵌合して側板を立設して、組み立てられた請求項５に記載の組み立て式容器。
【請求項７】
前記上部結合ピースが
複数個の嵌合部が直線状に配置された直線結合ピースと、
複数個の嵌合部が直角に交差した線上に配置された角部結合ピースと、からなり、
前記側板ピースと前記側板間補助ピースとの隣接部のうち、直線部においては、上部に前記直線結合ピースを嵌合し、
前記側板ピースと前記側板間補助ピースとの隣接部のうち、角部においては、上部に前記角部結合ピースを嵌合して、組み立てられた請求項５または請求項６に記載の組み立て式容器。
【請求項８】
前記側板ピースが、該側板ピースの主板の両側部に、嵌合部を除いた高さ方向に亘って切り欠かれる切欠き部を有し、
前記側板間補助ピースが、嵌合部を除いた高さ方向に亘って略Ｗ字状の断面形状であることにより、それぞれが前記切欠き部と掛合し、直角をなして相対する第一谷部と第二谷部とを有し、
前記側板ピースと前記側板間補助ピースとの隣接部のうち、角部においては、一つの前記側板間補助ピースの前記第一谷部と前記第二谷部とがそれぞれ隣接する前記側板ピースの前記切欠き部と掛合し、
前記側板ピースと前記側板間補助ピースとの隣接部のうち、直線部においては、二つの前記側板間補助ピースが、一方の前記側板間補助ピースの前記第一谷部と他方の前記側板間補助ピースの前記第二谷部とを外側にして対称に隣接し、外側の前記第一谷部と前記第二谷部とにより、それぞれ隣接する前記側板ピースの前記切欠き部と掛合して、組み立てられた請求項５ないし請求項７に記載の組み立て式容器。
【請求項９】
二枚の前記側板ピースが内角２７０度で隣り合うことによる凹角部を有し、
該凹角部において、三つの前記側板間補助ピースが、それぞれ前記第一谷部および前記第二谷部を外側にして９０度ずつ回転配置されて隣接し、外側に位置する二つの前記側板間補助ピースのそれぞれにおける外側の前記第一谷部と前記第二谷部とが、それぞれ隣接する前記側板ピースの前記切欠き部と掛合して、組み立てられた請求項５ないし請求項８に記載の組み立て式容器。
【請求項１０】
植栽容器である請求項１〜９いずれかに記載の組み立て式容器。
【請求項１１】
廃棄物収容容器である請求項１〜９いずれかに記載の組み立て式容器。
【請求項１２】
遊び場である請求項１〜９いずれかに記載の組み立て式容器。
【発明の詳細な説明】
【技術分野】
【０００１】
本発明は、植栽、緑化、または栽培等に用いることのできる組立・解体自在な組み立て式容器に関する。
【背景技術】
【０００２】
現代社会では、個人住宅空地、ベランダ、ビル屋上、公団住宅空地およびベランダ、学校、幼稚園、マンション他、様々な場所において省スペースで手軽に緑化するための植栽用プランター、廃棄物収容容器等への需要がある。そのような植栽用プランターは、手軽に設置・利用するために移動可能であることが望ましく、また、学校、幼稚園での実体験教育、団塊世代の趣味と実益、菜園での実体験と家族の交流等、多種多様な場面での使用における要求を満たすことが求められている。
【０００３】
特許文献１に記載の考案は、建物の屋上等で野菜や草花を栽培しているが、その栽培容器は発泡スチロールの箱・ミカン箱等の廃物容器又は合成樹脂製のプランター等を使用していることが多いので、容器が腐朽して見苦しい状況が多いという課題を解決するために、日曜大工で１人でも任意の大きさ・形の組立が可能な耐久性のある植物栽培容器を考案するため、栽培容器を耐久性・可搬型の基本ピースＡ・Ｂ・Ｃの３種類に分解して製造し、任意の大きさ・形の植物栽培容器を組み立てていき、材料はコンクリート又はＦＲＰを使用するものである。
【０００４】
特許文献２に記載の発明は、空洞コンクリートブロックを使用した堅牢で組立・解体が容易な組立式ピース植栽プランターを提供するため、組立式ブロック植栽プランター２０は、矩形の基底板２と、高さ２〜１０ｃｍの柱状突起片３が２個（３ａ、３ｂ）上面に固着されるとともに前記基底板２の上面縁部に沿って連設された複数枚の長方形金属板４（６枚使用）と、前記長方形金属板４の各柱状突起片３に嵌合することで垂設される複数本のパイプ支柱７（１２本使用）と、前記パイプ支柱７に空洞穴部分８を挿通しつつ積層してプランターの壁面Ｗ１、Ｗ２、Ｗ３、Ｗ４を形成する規格化された空洞コンクリートブロック１（１２個使用）と、からなり、組立、解体が容易で、一方の壁面のみを取り外して開口し、土壌を横に排出することで内部土壌や植木の根の状態を調べたり、植え替え等の作業が容易に行える構成である。
【先行技術文献】
【特許文献】
【０００５】
【特許文献１】実開平５−６７２４２号公報
【特許文献２】特開２０００−１２５６６９号公報
【発明の概要】
【発明が解決しようとする課題】
【０００６】
しかしながら、特許文献１に記載のものは、コンクリート製のブロックでは重量のため一つのブロックの大きさが限定されて、実際には組立が煩雑で容易に組み立てられるとは言い難いものであった。また、ＦＲＰを使用するにしても、各ブロックの接合強度を得るのが難しく実施が困難であった。さらに、組立のための凸部が植物栽培容器の内部にあるため、土のかき出しや攪拌が難しかったり、凹部の排水ができなかったりという問題があった。特許文献２に記載のものは、組立て後の全体の大きさが一枚の基底板の大きさに依拠してしまうため、汎用性に乏しく、広い範囲にわたる利用可能性に限界があった。また、防虫性、遮光性を確保するためには、網とビニールをかぶせなければならず、追加の施工等が面倒であった。
【０００７】
そこで本発明は、組立ての自由度が高く、かつ、組立てが容易な組立式容器を提供することを課題とする。
【課題を解決するための手段】
【０００８】
上記課題に鑑み、本発明は、略方形の板体である主板の横置き状態における上面に嵌合部を設けた底板ピースと、略方形の板体である主板の縦置き状態における下部と上部とに嵌合部を設けた側板ピースと、縦置き状態における該側板ピースの高さと対応する高さを有し、下部と上部とに嵌合部を設けた側板間補助ピースと、下部に嵌合部を設けた上部結合ピースと、を有し、各ピースが各々の嵌合部同士の凹凸による嵌合をもって着脱自在になされる組み立て式容器の組立てセットである。
【０００９】
上記本発明において、前記底板ピースの主板よりも小さな板状部材の横置き状態における下面に嵌合部を設けた底板結合ピースを有することが好ましい。
【００１０】
上記本発明において、前記上部結合ピースが、嵌合部が直線状に配置された直線結合ピースと、嵌合部が直角に交差した線上に配置された角部結合ピースと、からなることが好ましい。
【００１１】
上記本発明において、前記側板ピースが、該側板ピースの主板の両側部に、嵌合部を除いた高さ方向に亘って切り欠かれる切欠き部を有し、前記側板間補助ピースが、嵌合部を除いた高さ方向に亘って略Ｗ字状の断面形状であることにより、それぞれが前記切欠き部と掛合し、直角をなして相対する第一谷部と第二谷部とを有することが好ましい。
【００１２】
上記課題に鑑み、本発明は、略方形の板体である主板の横置き状態における上面に嵌合部を設けた底板ピースと、略方形の板体である主板の縦置き状態における下部と上部とに嵌合部を設けた側板ピースと、縦置き状態における該側板ピースの高さと対応する高さを有し、下部と上部とに嵌合部を設けた側板間補助ピースと、下部に嵌合部を設けた上部結合ピースと、を有し、前記底板ピースの周囲に、前記側板ピースおよび前記側板間補助ピースを交互にこれらの嵌合部により嵌合して側板を立設し、前記側板ピースと前記側板間補助ピースとの隣接部の上部において、前記上部結合ピースをこれらの嵌合部により嵌合して、組み立てられた組み立て式容器である。
【００１３】
上記本発明において、
前記底板ピースの主板よりも小さな板状部材の横置き状態における下面に嵌合部を設けた底板結合ピースを有し、複数枚の前記底板ピースを平面上に整列し、該底板ピースの各々の交差点において前記底板結合ピースをこれらの嵌合部により嵌合して一体的な底板となし、該底板の周囲に、前記側板ピースおよび前記側板間補助ピースを交互にこれらの嵌合部により嵌合して側板を立設して、組み立てられることが好ましい。
【００１４】
上記本発明において、前記上部結合ピースが複数個の嵌合部が直線状に配置された直線結合ピースと、複数個の嵌合部が直角に交差した線上に配置された角部結合ピースと、からなり、前記側板ピースと前記側板間補助ピースとの隣接部のうち、直線部においては、上部に前記直線結合ピースを嵌合し、前記側板ピースと前記側板間補助ピースとの隣接部のうち、角部においては、上部に前記角部結合ピースを嵌合して、組み立てられることが好ましい。
【００１５】
上記本発明において、前記側板ピースが、該側板ピースの主板の両側部に、嵌合部を除いた高さ方向に亘って切り欠かれる切欠き部を有し、前記側板間補助ピースが、嵌合部を除いた高さ方向に亘って略Ｗ字状の断面形状であることにより、それぞれが前記切欠き部と掛合し、直角をなして相対する第一谷部と第二谷部とを有し、前記側板ピースと前記側板間補助ピースとの隣接部のうち、角部においては、一つの前記側板間補助ピースの前記第一谷部と前記第二谷部とがそれぞれ隣接する前記側板ピースの前記切欠き部と掛合し、前記側板ピースと前記側板間補助ピースとの隣接部のうち、直線部においては、二つの前記側板間補助ピースが、一方の前記側板間補助ピースの前記第一谷部と他方の前記側板間補助ピースの前記第二谷部とを外側にして対称に隣接し、外側の前記第一谷部と前記第二谷部とにより、それぞれ隣接する前記側板ピースの前記切欠き部と掛合して、組み立てられることが好ましい。
【００１６】
上記本発明において、二枚の前記側板ピースが内角２７０度で隣り合うことによる凹角部を有し、該凹角部において、三つの前記側板間補助ピースが、それぞれ前記第一谷部および前記第二谷部を外側にして９０度ずつ回転配置されて隣接し、外側に位置する二つの前記側板間補助ピースのそれぞれにおける外側の前記第一谷部と前記第二谷部とが、それぞれ隣接する前記側板ピースの前記切欠き部と掛合して、組み立てられることが好ましい。
【００１７】
本発明は、各部材の組み合わせ数を増減することにより、所定の部材から、所望の大きさ・形状のものを自在に得ることができる組み立て式容器である。例えば、前記底板ピース一枚をもって前記底板とし、前記側板ピース一枚をもって前記側板とし、前記底板と前記側板四枚と前記側板間補助ピースとにより組み立てると、本発明における最小限の構成である組み立て式容器を得ることとなる。ここで、直線部においては、一つの直線部につき、前記側板間補助ピースを二個ずつ用いることとなる。なお、本発明は、これらの部材の形状や組み合わせ方に関するものであって、組立て方の順番を構成要素とするものではない。
【００１８】
前記側板間補助ピースの「略Ｗ字状の断面形状」とは、一方向に第一谷部と第二谷部とを有することを意味し、これらの反対側にある「略Ｗ字状」の一つの谷部を構成要件とするものではない。また、「断面形状」とは外形形状であることを指し、中空形状である場合も含む。
【００１９】
また、本発明は、左右に対向する前記側板の各々の上方に立設され、天井で左右方向に横架する複数の逆Ｕ字形状の骨部材と、複数の該骨部材の上面から前後左右の側面まで覆設される防水シートおよび／または網シートと、を備え、前記防水シートおよび／または前記網シートの側面が、その下端から上方まで開閉自在な縦スリットを複数個有することにより、複数のカーテン部に分割され、該カーテン部ごとに上下方向に開閉自在であることを特徴として好ましい。
【００２０】
前記縦スリットの開閉にはファスナーが好適であるが、これに限らず、スナップボタン等の係止手段を用いることができる。
【００２１】
本発明の各ピースは、プラスチック製であることが好ましい。ここでいうプラスチックとは各種の合成樹脂等を含むが、例えばＰＰ材が好ましい。また、その他各種鋼板も用いることができる。植栽容器である組み立て式容器、廃棄物収容容器である組み立て式容器、遊び場である組み立て式容器が好ましい。
【発明の効果】
【００２２】
本発明による組み立て式容器は、底板ピース、底板結合ピース、側板ピース、側板間補助ピース、および上部結合ピースのみから組み立てることが可能であり、組立て容易であるばかりでなく、部品の共通化により製造コストを低く抑えることができる。
【００２３】
本発明による組み立て式容器は、各部材の嵌合部による嵌め込みで可能なため、ボルト等の締結部品や工具を別途使用することなく、非常に容易に組み立てることが可能であり、また、安全性も向上する。
【００２４】
本発明による組み立て式容器は、使用する底板ピースおよび側板ピースの組み合わせ枚数の増減により、組み立て式容器全体のサイズや形状を任意に選択することができる。例えば、底板ピースを一枚、側板ピースを前後左右一枚ずつ組み合わせると最小限の構成となる組み立て式容器を得ることができる。また、組み合わせ枚数を増やせば組み立て式容器を大きくすることができる。
【００２５】
側板ピースによる側板の立設において、側板ピースの間に側板間補助ピースを汎用的に用いることにより、部材の共通化を図りつつも、組立の自由度が向上する。すなわち、側板ピース同士が直線的に隣り合う場合には、側板間補助ピースを二つ使用して結合することができ、側板ピース同士が内角９０度で隣り合う場合には、側板間補助ピースを一つ使用して結合することができ、側板ピース同士が内角２７０度で隣り合う場合には、側板間補助ピースを三つ使用して結合することができる。
【００２６】
本発明による組み立て式容器は簡易な構造であるため、組立・分解が容易であり、移動にも便利であり、多様な場所に設置することができる。また、簡易な構造であることは、例えば温室として使用するなどの多様な用途にも好適であり、多種多様な社会の要求を満たすことができる。具体的には、骨部材と、開閉自在なカーテン部を有する防水シートおよび／または網シートとを備えることにより、組み立て式容器上を温室化し、この中の環境を適宜調整することが容易となる。植栽容器、子供の遊び場や廃棄物を収容する容器にも適用可能であり、産業上の利用範囲が広い。
【図面の簡単な説明】
【００２７】
【図１】実施形態１による組み立て式容器１１０の斜視図である。
【図２】同実施形態による組み立て式容器１１０の平面図である。上部結合ピース１５０の図示は省略している。
【図３】同実施形態による組み立て式容器１１０の側面図である。上部結合ピース１５０の図示は省略している。
【図４】（ａ）は同実施形態による底板ピース１２１の平面図である。（ｂ）は同底板ピース１２１の側面図である。
【図５】（ａ）は同実施形態による底板結合ピース１２５の平面図である。（ｂ）は同底板結合ピース１２５の側面図である。（ｃ）は同底板結合ピース１２５の斜視図である。斜視図は補強フランジ１２６ａのうち格子状の部分の図示を省略している。
【図６】（ａ）は同実施形態による側板ピース１３１の平面図である。（ｂ）は同側板ピース１３１の正面図である。（ｃ）は同側板ピース１３１の側面図である。
【図７】（ａ）は同実施形態による側板間補助ピース１４１の平面図である。（ｂ）は同側板間補助ピース１４１の正面図である。（ｃ）は同側板間補助ピース１４１の斜視図である。
【図８】（ａ）は同実施形態による直線結合ピース１５１の平面図である。（ｂ）は同直線結合ピース１５１の正面図である。（ｃ）は同直線結合ピース１５１の斜視図である。
【図９】（ａ）は同実施形態による角部結合ピース１６１の平面図である。（ｂ）は同角部結合ピース１６１の側面図である。（ｃ）は同角部結合ピース１６１の斜視図である。
【図１０】実施形態２による組み立て式容器２１０の斜視図である。上部結合ピース２５０の図示は省略している。
【図１１】同実施形態による凹角部の結合の様子を示す平面図である。凹角部結合ピース２７１の図示は省略している。
【図１２】（ａ）は同実施形態による凹角部結合ピース２７１の平面図である。（ｂ）は同凹角部結合ピース２７１のＡ−Ａ線の断面図である。
【図１３】実施形態３による組み立て式容器３１０の斜視図である。
【発明を実施するための形態】
【００２８】
以下に、本発明の実施形態１による組み立て式容器の組立てセット１００（組立てセットに分解したもので番号は図示略）および組み立て式容器１１０について図１〜図９を参照して説明する。本発明は、プランター、廃棄物収容容器、子供の遊び場（砂遊び等）に適用可能である。
【００２９】
組み立て式容器１１０は、組み立て式容器の組立てセット１００を組み立てたものであり、底板１２０と側板１３０を有し、上方が開口した略箱体の形状を有する。組み立て式容器の組立てセット１００は、底板ピース１２１、底板結合ピース１２５、側板ピース１３１、側板間補助ピース１４１、および上部結合ピース１５０からなる。上部結合ピース１５０として、直線結合ピース１５１および角部結合ピース１６１がある。以下、各部材について説明する。
【００３０】
底板ピース１２１は、図４に示すように、平面視で正方形である主板１２２と、主板１２２に設けられた嵌合部１２３とを有する。主板１２２は、厚み４ｍｍで５００ｍｍ×５００ｍｍの正方形の板材１２２ａと、下面に設けられる補強フランジ１２２ｂとを有する。補強フランジ１２２ｂは、嵌合部１２３のための厚みを確保しつつ、軽量化と強度確保を図るためのものである。嵌合部１２３は、主板１２２の横置き状態における上面の端辺付近に設けられる角状の非貫通の穴であり、一つの端辺につき四つずつ設けられる。嵌合部１２３は、主板１２２の角部においては隣り合う端辺に共通の穴として設けるため、一つの底板ピース１２１に合計１２個が設けられる。嵌合部１２３は、嵌合部１２３の中心が主板１２２の端辺から３７．５ｍｍ離れた位置に設けられる。また、主板１２２の一つの端辺のうち、角部でない位置に設けられる二つの嵌合部１２３の中心間の距離は１６０ｍｍである。
【００３１】
底板結合ピース１２５は、図５に示すように、底板ピース１２１の主板１２２よりも小さな主板１２６と、主板１２６の下面に設けられた嵌合部１２７とを有する。主材１２６は、１５０ｍｍ×１５０ｍｍの部材の角部を切り欠いた形状であり、下面に厚みと強度を確保するための補強フランジ１２６ａが設けられている。嵌合部１２３は、補強フランジ１２６ａの下面よりも下方に突設する、底板ピース１２１の嵌合部１２７と掛合する角状の突起である。隣り合う嵌合部１２７の中心間の距離は、それぞれ７５ｍｍである。
【００３２】
側板ピース１３１は、図６に示すように、立設して使用される主板１３２と、主板１３２の上面に設けられた上部嵌合部１３４と、主板１３２の下面に設けられた下部嵌合部１３５と、を有する。主板１３２は、厚み４ｍｍで幅４００ｍｍ×高さ５５０ｍｍの長方形の板材１３２ａと、板材１３２ａの上端部から外側に水平に立設する上部接合フランジ１３２ｂと、板材１３２ａの下端部から外側に水平に立設する下部接合フランジ１３２ｃと、板材１３２ａの一面において外側に立設する格子状の補強フランジ１３２ｄと、を有する。主板１３２の両側部には、外側が切り欠かれた切欠き部１３３ａ，１３３ｂが設けられる。切欠き部１３３ａ，１３３ｂの大きさは２５ｍｍ×２５ｍｍである。上部接合フランジ１３２ｂの両側部には、長穴形状の上部嵌合部１３４がそれぞれ設けられる。上部嵌合部１３４は、切欠き部１３３ａ，１３３ｂに対応する位置であって、切欠き部１３３ａ，１３３ｂの端面から上部嵌合部１３４の中心までの距離が２５ｍｍの位置にそれぞれ設けられる。下部接合フランジ１３２ｃには、底板ピース１２１の嵌合部１２３と嵌合する形状の角状の突起である二つの下部嵌合部１３５が設けられる。二つの下部嵌合部１３５は、それぞれの中心間の距離が１６０ｍｍとして設けられる。また、上部接合フランジ１３２ｂおよび下部接合フランジ１３２ｃには、フレーム穴１３６ａ，１３６ｂが二つ設けられる。このフレーム穴１３６ａ，１３６ｂは、実施形態２の防水シートのフレームのためであり後述する。
【００３３】
側板間補助ピース１４１は、図７に示すように、側板ピース１３１の主板１３２と同じ高さ５５０ｍｍの長尺部材である主材１４２と、主材１４２の上面に設けられた上部嵌合部１４３ａと、主材１４２の下面に設けられた下部嵌合部１４３ｂと、を有する。主材１４２は、それぞれ長方形の平面形状を有し、互いに直交する第一部材１４２ａおよび第二部材１４２ｂと、第一部材１４２ａおよび第二部材１４２ｂの間に設けられ、これらよりも小さな正方形の平面形状を有する中央部材１４２ｃと、からなる。これにより、側板間補助ピース１４１は、平面視で一方向に段々を有する略Ｗ字状となり、第一部材１４２ａおよび中央部材１４２ｃの間に直角に切り欠かれる第一谷部１４４ａと、第二部材１４２ｂおよび中央部材１４２ｃの間に直角に切り欠かれる第二谷部１４４ｂとが形成される。第一谷部１４４ａおよび第二谷部１４４ｂの形状は側板ピース１３１の切欠き部１３３ａ，１３３ｂと掛合する形状であって、第一谷部１４４ａおよび第二谷部１４４ｂは互いに直角をなして相対することとなる。第一部材１４２ａ、第二部材１４２ｂ、および中央部材１４２ｃはそれぞれ、中空に形成されており、内部に補強フランジが適宜設けられている。また、第一部材１４２ａおよび第二部材１４２ｂの直交部分は切欠かれている。第一部材１４２ａおよび第二部材１４２ｂの上面には、長穴形状の上部嵌合部１４３ａがそれぞれ設けられる。それぞれの上部嵌合部１４３ａは長穴形状の長軸が直交して配置される。中央部材１４２ｃの下部には、底板ピース１２１の嵌合部１２３と嵌合する形状の角状の突起である下部嵌合部１４３ｂが設けられる。
【００３４】
直線結合ピース１５１は、上部結合ピース１５０の一つであり、組み立て式容器１１０において側板ピース１３１が直線状に並ぶ部分のつなぎとして上部に使用される結合部材である。直線結合ピース１５１は、図８に示すように、接合保持部１５２，１５３，１５４と、嵌合部１５５とを一体的に有する形状である。直線結合ピース１５１の周囲には組み立ての際の把持性向上のためにフランジが設けられている。接合保持部１５２および接合保持部１５３と接合保持部１５４は対向しており、組み立て使用時においては、これらによって側板ピース１３１および側板間補助ピース１４１を挟持することとなる。接合保持部１５２および接合保持部１５３は左右対称に対向しており、これにより、組み立て使用時において、二つの側板間補助ピース１４１を挟持することができる。接合保持部１５４は掛合凸部１５４ａを有しており、これにより、組み立て使用時において、側板間補助ピース１４１の形状と掛合し、土圧による側板間補助ピース１４１の変形を規制することができる。嵌合部１５５は、側板ピース１３１の上部嵌合部１３４および側板間補助ピース１４１の上部嵌合部１４３ａの長穴形状と嵌合する長円形状の突起であり、直線上に四つが配列される。
【００３５】
角部結合ピース１６１は、上部結合ピース１５０の一つであり、組み立て式容器１１０において側板ピース１３１が直角をなして並ぶ角部のつなぎとして上部に使用される結合部材である。角部結合ピース１６１は、図９に示すように、接合保持部１６２，１６３と、嵌合部１６４とを一体的に有する形状である。角部結合ピース１６１の周囲には組み立ての際の把持性向上のためにフランジが設けられている。接合保持部１６２および接合保持部１６３は対向しており、組み立て使用時においては、これらによって側板ピース１３１および側板間補助ピース１４１を挟持することとなる。嵌合部１６４は、側板ピース１３１の上部嵌合部１３４および側板間補助ピース１４１の上部嵌合部１４３ａの長穴形状と嵌合する長円形状の突起であり、二つずつが直線上に並び、さらにこれらが直交して四つが配列される。なお、外側の二つの嵌合部１６４は、側板ピース１３１の上部嵌合部１３４の形状に対して部分的にのみ形成されているが、部品の小型化を図ることによるものである。
【００３６】
底板ピース１２１、底板結合ピース１２５、側板ピース１３１、側板間補助ピース１４１、直線結合ピース１５１、および角部結合ピース１６１の各ピースはポリプロピレン製であるが、これに限られず、ポリエチレン、ポリ塩化ビニル、ポリエチレンテレフタラート、アクリル樹脂、その他、ガラス繊維やプラスチック繊維等を加えた強化プラスチックを含む合成樹脂製として好適である。また、ステンレスやアルミ等の鋼板を用いることもできる。
【００３７】
組み立て式容器１１０の組立て方法について図１〜図３を参照して説明する。まず、底板ピース１２１を平面上に整列し、四枚の底板ピース１２１の各々の交差点において底板結合ピース１２５を嵌合して底板１２０となす。この嵌合は、四枚の底板ピース１２１の嵌合部１２３のうち、その交差点に直近の嵌合部１２３と、底板結合ピース１２５の嵌合部１２７とにより行う。
【００３８】
つぎに底板１２０の周囲に、側板ピース１３１および側板間補助ピース１４１を交互に嵌合して四枚の側板１３０を立設する。この嵌合は、底板１２０の端辺に位置する底板ピース１２１の嵌合部１２３と、側板ピース１３１の下部嵌合部１３５または側板間補助ピース１４１の下部嵌合部１４３ｂとにより行う。側板ピース１３１が直線部に連なる箇所においては、その間に二つの側板間補助ピース１４１を、それぞれの第一部材１４２ａと第二部材１４２ｂとを隣接させて設け、外側に位置する第一谷部１４４ａと第二谷部１４４ｂとにより、それぞれ隣接する側板ピース１３１の切欠き部１３３ａ，１３３ｂと掛合させる。側板ピース１３１が角部に連なる箇所においては、その間に一つの側板間補助ピース１４１を設け、一つの側板間補助ピース１４１の第一谷部１４４ａと第二谷部１４４ｂとがそれぞれ隣接する側板ピース１３１の切欠き部１３３ａ，１３３ｂと掛合させる。
【００３９】
最後に、側板ピース１３１と側板間補助ピース１４１との隣接部のうち、直線部においては、上部に直線結合ピース１５１を嵌合し、側板ピース１３１と側板間補助ピース１４１との隣接部のうち、角部においては、上部に角部結合ピース１６１を嵌合する。これらの嵌合は、直線結合ピース１５１の嵌合部１５５または角部結合ピース１６１の嵌合部１６４と、側板ピース１３１の上部嵌合部１３４または側板間補助ピース１４１上部嵌合部１４３ａとにより行う。組み立て状態において、側板ピース１３１の一つの下部に水抜き穴（図示略）を設けるとよい。なお、上記は組立て例であり、使用する部材の個数や組み付ける順番はこれに限られない。また、各ピースの接合にはＵ字型クリップ等を補助的に用いてもよい。
【００４０】
実施形態１による組み立て式容器の組立てセット１００および組み立て式容器１１０の効果について説明する。組み立て式容器１１０は、底板ピース１２１、底板結合ピース１２５、側板ピース１３１、側板間補助ピース１４１、直線結合ピース１５１および角部結合ピース１６１のみから所望の大きさに組み立てることが可能である。直線部および角部の結合には、側板間補助ピース１４１を共通して使用することができるため、組立て容易であるばかりでなく、部品の共通化により製造コストを低く抑えることができる。この組み立ては、各部材の嵌合部による嵌め込みにより可能なため、ボルト等の締結部品や工具を別途使用することなく、非常に容易に組み立てることが可能であり、また、安全性も向上する。
【００４１】
以下、本発明の実施形態２による組み立て式容器の組立てセット２００（組立てセットに分解したもので番号は図示略）および組み立て式容器２１０について図１０〜図１２を参照して説明する。実施形態２は、実施形態１の組み立て式容器１１０において、内角２７０度の凹角部を作成して組み立てた組み立て式容器２１０と、このための組み立て式容器の組立てセット２００である。組み立て式容器の組立てセット２００の上部結合ピース２５０は、直線結合ピース２５１と凸角部結合ピース２６１の他、凹角部結合ピース２７１を有することとなる。ここで、凸角部結合ピース２６１は実施形態１の角部結合ピース１６１と同じものである。その他、組み立て式容器の組立てセット２００および組み立て式容器２１０に含まれる各部材については、特に示さない限り実施形態１の説明を援用し、番号を２００番台とし、詳細な図示を省略する。
【００４２】
凹角部結合ピース２７１は、上部結合ピース２５０の一つであり、組み立て式容器２１０において側板ピース２３１が内角２７０度の凹角部のつなぎとして上部に使用される結合部材である。凹角部結合ピース２７１は、図１２に示すように、接合保持部２７２，２７３，２７４，２７５と、嵌合部２７６とを一体的に有する形状である。凹角部結合ピース２７１の周囲には組み立ての際の把持性向上のためにフランジが設けられている。接合保持部２７２，２７３，２７４はそれぞれ接合保持部２７５と対向しており、組み立て使用時においては、これらによって側板ピース２３１および側板間補助ピース２４１を挟持することとなる。
【００４３】
組み立て式容器２１０の凹角部の組立ての方法について図１０、図１１を参照して説明する。凹角部には三枚の底板ピース２２１をそれぞれ直交させて平面上に並べることとなる。この凹角部には三つの側板間補助ピース２４１を、対応する位置にある底板ピース２２１の嵌合部２２３に嵌合させて組み立てる。三つの側板間補助ピース２４１は、それぞれ第一谷部２４４ａおよび第二谷部２４４ｂを外側にして９０度ずつ回転配置して隣接させる。すなわち、一つの側板間補助ピース２４１の第一部材２４２ａと第二部材２４２ｂとの外側に、残る二つの側板間補助ピース２４１の第二部材２４２ｂまたは第一部材２４２ａをそれぞれ隣接させて配置する。この二つの側板間補助ピース２４１の外側に位置する第一谷部２４４ａまたは第二谷部２４４ｂに側板ピース２３１の切欠き部２３３ａまたは切欠き部２３３ｂをそれぞれ掛合させて組み立てる。
【００４４】
実施形態２による組み立て式容器の組立てセット２００および組み立て式容器２１０の効果について説明する。側板間補助ピース２４１を三つ使用し、凹角部結合ピース２７１により上部を結合することにより、内角が２７０度の凹角部を有する組み立て式容器２１０を組み立てることができる。これにより、組み立ての自由度がさらに大幅に向上する。
【００４５】
以下、本発明の実施形態３による組み立て式容器の組立てセット３００（（組立てセットに分解したもので番号は図示略）および組み立て式容器の組立てセット３１０について図１３を参照して説明する。組み立て式容器の組立てセット３１０は、実施形態１の組み立て式容器１１０の上方においてシート３８０とフレーム３９０とを設けたものである。本実施形態による組み立て式容器の組立てセット３１０は実施形態２の組み立て式容器２１０と共通のものを使用するため、部品番号を３００番台とし、説明はこれを援用する。
【００４６】
フレーム３９０は、シート３８０を設置するための逆Ｕ字形状の部材である。フレーム３９０は、逆Ｕ字形状の開放側を下方に向けて、組み立て式容器の組立てセット３１０の短手方向に対向する側板３３０に横架して複数本が設けられる。フレーム３９０は、逆Ｕ字形状の二つの支柱部分を、それぞれ、側板３３０のフレーム穴３３６ａおよびフレーム穴３３６ｂに通して上下２カ所で固定することにより立設される。フレーム３９０は長手方向に適宜間隔を空けて複数本設置される。フレーム３９０の高さは任意に設定することができるが、内部での作業性や植栽の用途によって適宜選択するとよい。
【００４７】
シート３８０は、立設された複数本のフレーム３９０の上面から側面まで覆設される下方が開放された形状のシートである。本実施形態では、防水シート３８１および網シート３８２を重ねて設けられる二重構造である。防水シート３８１の側面には、その下端から上方までファスナーにより開閉自在な縦スリット３８３が複数備わる。本実施形態では縦スリット３８３を側面の四隅および長手方向の両側面の中央に設けているが、これに限らず任意にとり得る。縦スリット３８３により分割された防水シート３８１の側面には、ロールアップ可能なカーテン部３８４が形成されることとなる。防水シート３８１の材質は任意の物を用いることができる。
【００４８】
網シート３８２は、防水シート３８１と同様の構造を持つものであり、構造の説明はこれを援用する。網シート３８２は、防水シート３８１とフレーム３９０との間に設置されるので、サイズを適宜調整するとよい。網シート３８２の材質は任意の物を用いることができる。本実施例では、網シート３８２を防水シート３８１と同様の構造を持つものとし、上面から側面にかけての全てを防水シート３８１および網シート３８２の二重構造にしているが、防水シート３８１のカーテン部３８４に相当する部分にのみ網シート３８２を設けてもよい。
【００４９】
防水シート３８１の側面上部には、開け放した防水シート３８１および網シート３８２を上部で固定するための係止フック３８５が適宜設けられる。防水シート３８１および網シート３８２の側面上部の裏面には、係止フック３８５を係止するための係止環（図示略）が設けられる。
【００５０】
組み立て式容器の組立てセット３１０の効果について説明する。組み立て式容器の組立てセット３１０によると、組み立て式容器１１０の効果に加え、防水シート３８１および網シート３８２を開閉自在に設けることが可能となり、組み立て式容器の組立てセット３１０を温室化することができる。防水シート３８１および網シート３８２をかぶせることで、無農薬野菜等の育成ができる。シート３８０として寒暖保護となるビニールを用いる場合、温室化することができる。また、屋上に置くことで下の階への寒暖に対する保護となる。防水シート３８１の開閉は、複数に分割されたカーテン部３８４をロールアップしたり、引き下ろしたりすることにより、部分的に行うことができる。網シート３８２も防水シート３８１と同様に開閉できる。防水シート３８１と網シート３８２の開閉はそれぞれ独立して行うことができ、防水シート３８１および網シート３８２を閉じた状態、防水シート３８１および網シート３８２を開いた状態、網シート３８２を閉じて防水シート３８１のみ開いた状態を各カーテン部３８４において別個にとることができる（図１３参照）。上記の通り、カーテン部３８４を部分的に開閉可能なため、風通しや温度・湿度等の内部環境の調整も行うことができる。
【００５１】
なお、本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。例えば、上記に挙げた寸法は一例であり、強度および重量を考慮して適宜選択することができる。用途としては、植栽容器である組み立て式容器、廃棄物収容容器である組み立て式容器、遊び場（例えば、砂遊び場）である組み立て式容器が例示できる。
【符号の説明】
【００５２】
１００、２００、３００・・・組み立て式容器の組立てセット
１０１、２０１、３０１・・・組み立て式容器
１２０・・・底板
１２１・・・底板ピース
１２２・・・主板
１２３・・・嵌合部
１２５・・・底板結合ピース
１２６・・・主板
１２７・・・嵌合部
１３０・・・側板
１３１・・・側板ピース
１３２・・・主板
１３３ａ，１３３ｂ・・・切欠き部
１３４・・・上部嵌合部
１３５・・・下部嵌合部
１４１・・・側板間補助ピース
１４２・・・主材
１４２ａ・・・第一部材
１４２ｂ・・・第二部材
１４２ｃ・・・中央部材
１４３ａ・・・上部嵌合部
１４３ｂ・・・下部嵌合部
１４４ａ・・・第一谷部
１４４ｂ・・・第二谷部
１５０・・・上部結合ピース
１５１・・・直線結合ピース
１５５・・・嵌合部
１６１・・・角部結合ピース
１６４・・・嵌合部
２７１・・・凹角部結合ピース
２７６・・・嵌合部
３８１・・・防水シート
３８２・・・網シート
３８３・・・縦スリット
３８４・・・カーテン部
３８５・・・係止フック
３９０・・・フレーム
【図１】
2013017477.tif 000003
【図２】
2013017477.tif 000004
【図３】
2013017477.tif 000005
【図４】
2013017477.tif 000006
【図５】
2013017477.tif 000007
【図６】
2013017477.tif 000008
【図７】
2013017477.tif 000009
【図８】
2013017477.tif 000010
【図９】
2013017477.tif 000011
【図１０】
2013017477.tif 000012
【図１１】
2013017477.tif 000013
【図１２】
2013017477.tif 000014
【図１３】
2013017477.tif 000015